(57)【要約】  内側レースと同軸外側レースとの間に２列の遊星を有する遊星ギヤボックス。入力ギヤはまた、内側遊星又は外側遊星と噛み合うことができる。印加トルクからのねじれによるギヤの噛み合い解除を回避するために、印加トルクが径方向予圧を発生するカム効果が使用され得る。入力ギヤと噛み合うギヤは、内側又は外側レースのうちの対応する１つとも噛み合うギヤの部分で、噛み合ってもよい。遊星は、異なるねじれ角を有する軸方向部分とギヤ結合することができる。内側レース又は外側レースは、異なるねじれ角とギヤ結合する２つのコンポーネントで形成されて、遊星の異なる軸方向部分と噛み合ってもよい。これらの異なるコンポーネントを使用することにより、コンポーネントを軸方向に遊星上で摺動させることができるので、組み立てが容易になる。
2021500518.tif 000002
【特許請求の範囲】
【請求項１】
変速装置であって、
外面を有し、且つ軸を画定する内側レースと、
内面を有し、且つ前記内側レースと同軸である外側レースと、
前記内側レースの前記外面とギヤ接触している内側ローラと、前記外側レースの前記内面とギヤ接触している外側ローラとを含む１組の軌道ローラであって、全ての内側ローラが２つの外側ローラとギヤ接触しており、全ての外側ローラが２つの内側ローラとギヤ接触している、１組の軌道ローラと、
前記内側レース及び外側レースと同軸であり、前記内側ローラ又は前記外側ローラとギヤ接触する入力リングと、
Ａ又はＢのうちの１つであって、
Ａであって、前記外側ローラが前記内側ローラよりも長く、各外側ローラは、それが接触している前記内側ローラと噛み合うそれぞれの第１の部分を有し、前記入力リングは、それが接触している各外側ローラのそれぞれの第２の部分と噛み合う外面を有し、前記外側ローラの前記第１の部分及び前記第２の部分の両方は、前記外側レースと噛み合う、Ａと、
Ｂであって、内側ローラが前記外側ローラよりも長く、各内側ローラは、それが接触している前記外側ローラと噛み合うそれぞれの第１の部分を有し、８前記入力リングは、それが接触している各内側ローラのそれぞれの第２の部分と噛み合う内面を有し、前記内側ローラの前記第１の部分及び前記第２の部分の両方は、前記内側レースと噛み合う、Ｂと
を備える、変速装置。
【請求項２】
変速装置であって、
外面を有し、且つ軸を画定する内側レースと、
内面を有し、且つ前記内側レースと同軸である外側レースと、
前記内側レースの前記外面とギヤ接触している内側ローラと、前記外側レースの前記内面とギヤ接触している外側ローラとを含む１組の軌道ローラであって、全ての内側ローラが２つの外側ローラとギヤ接触しており、全ての外側ローラが２つの内側ローラとギヤ接触している、１組の軌道ローラと、
前記内側レース及び外側レースと同軸であり、前記内側ローラ又は前記外側ローラとギヤ接触する入力リングと
を備え、
前記内側ローラ及び外側ローラはギヤ接触している長さを有し、前記ギヤ及びレースは、トルクを前記入力リング上に生じさせて、前記入力リング上の前記トルクによって引き起こされる分離力を克服するのに十分な前記内側ローラ及び外側ローラの径方向負荷を増加させるように選択されるそれぞれの直径を有する、変速装置。
【請求項３】
前記入力リングとギヤ接触する前記内側ローラ又は外側ローラが、１：１、１．５：１、２：１、２．５：１、３：１、３．５：１、又は４：１より大きい長さ対直径比を有する、請求項２に記載の変速装置。
【請求項４】
前記内側ローラ及び外側ローラがそれぞれ、少なくとも２つの異なる先細部で形成され、前記内側レース及び外側レースがそれぞれ、少なくとも２つの軸方向に隣接するコンポーネントから形成される、請求項１〜３のいずれか一項に記載の変速装置。
【請求項５】
前記軸方向に隣接するコンポーネント間のシムも含む、請求項４に記載の変速装置。
【請求項６】
変速装置であって、
外面を有し、且つ軸を画定する内側レースと、
内面を有し、且つ前記内側レースと同軸である外側レースと、
前記内側レースの前記外面とギヤ接触している内側ローラと、前記外側レースの前記内面とギヤ接触している外側ローラとを含む１組の軌道ローラであって、全ての内側ローラが２つの外側ローラとギヤ接触しており、全ての外側ローラが２つの内側ローラとギヤ接触している、１組の軌道ローラと、
異なるねじれ角を有する２つの角度付きギヤ面から形成されている前記内側レースの前記外面及び前記外側レースの前記内面のうちの少なくとも１つと、
前記内側レース及び外側レースと同軸であり、前記内側ローラ又は前記外側ローラとギヤ接触する入力リングと
を備える、変速装置。
【請求項７】
前記２つの角度付きギヤ面が、軸方向に隣接するコンポーネント上に配置される、請求項６に記載の変速装置。
【請求項８】
前記２つの角度付きギヤ面が、対向するねじれ角を有してヘリングボーンギヤ面を共に形成する、請求項７に記載の変速装置。
【請求項９】
前記入力リングが、各々がそれぞれの入力角度付きギヤ面を有する２つの軸方向に隣接するコンポーネントから形成され、前記それぞれの入力角度付きギヤ面が異なるねじれ角を有する、請求項７又は８に記載の変速装置。
【請求項１０】
前記入力角度付きギヤ面が、対向するねじれ角を有してヘリングボーンギヤ面を共に形成する、請求項９に記載の変速装置。
【請求項１１】
変速装置を組み立てる方法であって、前記方法が、
１組の外側軌道ローラを、外側レースの内面とギヤ接触させて配置するステップと、
１組の内側軌道ローラを、前記外側軌道ローラとギヤ接触させて配置するステップであって、全ての内側軌道ローラが２つの外側軌道ローラとギヤ接触しており、全ての外側軌道ローラが２つの内側軌道ローラとギヤ接触している、ステップと、
内側レースの第１のコンポーネントを、前記内側軌道ローラとギヤ接触させ、且つ前記外側レースと同軸に配置するステップであって、前記第１のコンポーネントが第１の角度付きギヤ面を有する、ステップと、
内側レースの第２のコンポーネントを、前記内側軌道ローラとギヤ接触させ、且つ前記外側レースと同軸に配置するステップであって、前記第２のコンポーネントが第２の角度付きギヤ面を有し、前記第１の角度付きギヤ面及び前記第２の角度付きギヤ面が異なるねじれ角を有する、ステップと、
入力ギヤを、前記外側軌道ローラとギヤ接触させ、且つ前記外側レースと同軸に配置するステップと
を含む、方法。
【請求項１２】
前記第１の角度付きギヤ面及び前記第２の角度付きギヤ面が、対向するねじれ角を有してヘリングボーンギヤ面を共に形成する、請求項１１に記載の方法。
【請求項１３】
前記入力ギヤが、第１の角度付き入力ギヤ面を有する第１の入力ギヤコンポーネントと、第２の角度付き入力ギヤ面を有する第２の入力ギヤコンポーネントとを含み、入力ギヤを前記外側軌道ローラとギヤ接触させ、且つ前記外側レースと同軸に配置する前記ステップが、前記第１の入力ギヤコンポーネントを、前記外側軌道ローラと、前記外側軌道ローラとギヤ接触している前記第１の角度付き入力ギヤ面とに同軸に配置するステップと、前記第２の入力ギヤコンポーネントを、前記外側軌道ローラと、前記外側軌道ローラとギヤ接触している前記第２の角度付き入力ギヤ面とに同軸に配置するステップとを含み、前記第１の角度付き入力ギヤ面と前記第２の角度付き入力ギヤ面が異なるねじれ角を有する、請求項１１又は１２に記載の方法。
【請求項１４】
前記第１の角度付き入力ギヤ面及び前記第２の角度付き入力ギヤ面が、対向するねじれ角を有してヘリングボーン入力ギヤ面を共に形成する、請求項１３に記載の方法。
【請求項１５】
前記第１の角度付き入力ギヤ面が、前記１組の内側軌道ローラを前記外側軌道ローラとギヤ接触させて配置する前記ステップの前に、前記外側軌道ローラとギヤ接触させて配置され、前記第２の角度付き入力ギヤ面が、前記内側レースの前記第１及び第２のコンポーネントを前記内側軌道ローラとギヤ接触させて配置する前記ステップの後に、前記外側軌道ローラとギヤ接触させて配置される、請求項１３又は１４に記載の方法。
【請求項１６】
変速装置を組み立てる方法であって、前記方法が、
１組の内側軌道ローラを、内側レースの外面とギヤ接触させて配置するステップと、
１組の外側軌道ローラを、前記内側軌道ローラとギヤ接触させて配置するステップであって、全ての外側軌道ローラが２つの内側軌道ローラとギヤ接触しており、全ての内側軌道ローラが２つの外側軌道ローラとギヤ接触している、ステップと、
外側レースの第１のコンポーネントを、前記内側軌道ローラとギヤ接触させ、且つ前記内側レースと同軸に配置するステップであって、前記第１のコンポーネントが第１の角度付きギヤ面を有する、ステップと、
外側レースの第２のコンポーネントを、前記外側軌道ローラとギヤ接触させ、且つ前記内側レースと同軸に配置するステップであって、前記第２のコンポーネントが第２の角度付きギヤ面を有し、前記第１の角度付きギヤ面及び前記第２の角度付きギヤ面が異なるねじれ角を有する、ステップと、
入力ギヤを、前記内側軌道ローラとギヤ接触させ、且つ前記内側レースと同軸に配置するステップと
を含む、方法。
【請求項１７】
前記第１の角度付きギヤ面及び前記第２の角度付きギヤ面が、対向するねじれ角を有してヘリングボーンギヤ面を共に形成する、請求項１６に記載の方法。
【請求項１８】
前記入力ギヤが、第１の角度付き入力ギヤ面を有する第１の入力ギヤコンポーネントと、第２の角度付き入力ギヤ面を有する第２の入力ギヤコンポーネントとを含み、入力ギヤを前記内側軌道ローラとギヤ接触させ、且つ前記内側レースと同軸に配置する前記ステップが、前記第１の入力ギヤコンポーネントを、前記内側軌道ローラと、前記内側軌道ローラとギヤ接触している前記第１の角度付き入力ギヤ面とに同軸に配置するステップと、前記第２の入力ギヤコンポーネントを、前記内側軌道ローラと、前記内側軌道ローラとギヤ接触している前記第２の角度付き入力ギヤ面とに同軸に配置するステップとを含み、前記第１の角度付き入力ギヤ面と前記第２の角度付き入力ギヤ面が異なるねじれ角を有する、請求項１６又は１７に記載の方法。
【請求項１９】
前記第１の角度付き入力ギヤ面及び前記第２の角度付き入力ギヤ面が、対向するねじれ角を有してヘリングボーン入力ギヤ面を共に形成する、請求項１８に記載の方法。
【請求項２０】
前記第１の角度付き入力ギヤ面が、前記１組の外側軌道ローラを前記内側軌道ローラとギヤ接触させて配置する前記ステップの前に、前記内側軌道ローラとギヤ接触させて配置され、前記第２の角度付き入力ギヤ面が、前記外側レースの前記第１及び第２のコンポーネントを前記外側軌道ローラとギヤ接触させて配置する前記ステップの後に、前記内側軌道ローラとギヤ接触させて配置される、請求項１８又は１９に記載の方法。
【請求項２１】
前記内側ローラ及び外側ローラが、前記根元部に径方向スロットを有するギヤプロフィールを有する、請求項１〜１０のいずれか一項に記載の変速装置。
【請求項２２】
前記内側ローラ及び外側ローラが中空である、請求項１〜１０又は２１のいずれか一項に記載の変速装置。
【請求項２３】
前記内側ローラ及び外側ローラは、前記ギヤが形成される１組の公差を与えられると、前記ギヤが変形して負荷を分担するように十分に低い剛性になるように選択された材料で形成される、請求項１〜１０、２１又は２２のいずれか一項に記載の変速装置。
【請求項２４】
前記内側ローラ及び外側ローラが、少なくとも２つの異なる先細部からそれぞれ形成される、請求項１〜３、６〜１０又は２１〜２３のいずれか一項に記載の変速装置。
【請求項２５】
前記第１の段以外の各段の前記内側レースが前記連続する段の入力リングに接続されるように、段として配置された請求項１〜１０又は２１〜２４のいずれか一項に記載の複数の変速装置を備える、変速装置。
【請求項２６】
前記連続する段の前記外側レースが一緒に接続される、請求項２５に記載の変速装置。
【請求項２７】
前記複数の段の前記外側レースが、同じピッチ直径及び歯数である、請求項２６に記載の変速装置。
【請求項２８】
他の各段の前記外側レースが前記連続する段の前記入力リングに接続されるように、段として配置された請求項１〜１０又は２１〜２４のいずれか一項に記載の複数の変速装置を備える、変速装置。
【請求項２９】
前記連続する段の前記内側レースが一緒に接続される、請求項２８に記載の変速装置。
【請求項３０】
前記複数の段の前記内側レースが、同じピッチ直径及び歯数である、請求項２９に記載の変速装置。
【発明の詳細な説明】
【技術分野】
【０００１】
ギヤボックスに関する。
【背景技術】
【０００２】
公開された国際公開第２０１３１７３９２８（Ａ１）号では、２列のローラでトルクを増大させる装置が示されており、これらのローラの全てが、２つの他のローラに接触し、且つ低カム角度が達成される十分に多くのローラでトルクを増大させる。この角度を下回ると、カム作用は、内側ローラと外側ローラとの間、及び内側ローラと内側レースとの間、及び外側ローラと外側レースとの間の接触における牽引圧を増大させる。
【０００３】
このカム作用が発生するのを可能にするのに十分高い摩擦係数を達成することは、鋼上の鋼などの多くの共通の材料の組み合わせが、この装置の典型的なカム角度に必要とされるよりも低い摩擦係数（ＣＦ）を有するため、困難である。結果として、ニッケル合金及び他の材料の組み合わせなどの材料は、カム角度形状が伝達されるトルクに比例する牽引圧を提供することを可能にするのに十分に高いＣＦを達成するために使用されなければならない。
【０００４】
転がり接触型の別の課題は、ローラを全て均等に円周方向に離間させて維持することである。転がり接触は他方のローラに対して自身を「クロック制御」せず、ローラの円周方向間隔が制御されない場合、２列のローラは本質的に不安定である。不安定であることは、ローラが不均等に離間している場合、内側レースが外側レースと同心でないことを意味する。
【０００５】
本装置の（ギヤ歯がない）純然たるローラバージョンの別の課題は、ローラを互いに、且つレースと軸方向に整列させることである。
【０００６】
装置の純然たるローラバージョンの実施形態の別の課題は、軸受が外側レースを内側レースと軸方向に整列させて維持する必要があることである。
【０００７】
この装置のローラ又はギヤ付きバージョンの実施形態の別の課題は、内側ローラアレイと噛み合う内側ギヤ、又は外側ローラアレイと噛み合う外側ギヤを有するギヤ付きリングなどの入力装置を介してトルクがローラに提供されなければならないことである。
【０００８】
従来のギヤ減速機などのギヤ付き装置は、一般的に遊星キャリアを使用して遊星を配置する。遊星キャリアは、回転質量、コスト、及び複雑さを増加させる。
【発明の概要】
【０００９】
外面を有し、軸を画定する内側レースと、内面を有し、内側レースと同軸の外側レースとを有する、変速装置が提供される。変速装置は、内側レースの外面とギヤ接触している内側ローラと、外側レースの内面とギヤ接触している外側ローラとを含む１組の軌道ローラを有し、全ての内側ローラは、２つの外側ローラとギヤ接触しており、全ての外側ローラは、２つの内側ローラとギヤ接触している。内側レース及び外側レースと同軸であり、内側ローラ又は外側ローラとギヤ接触する入力リングが存在してもよい。
【００１０】
一実施形態では、Ａ又はＢのうちの１つは、Ａであって、外側ローラが内側ローラよりも長く、各外側ローラは、それが接触している内側ローラと噛み合うそれぞれの第１の部分を有し、入力リングは、それが接触している各外側ローラのそれぞれの第２の部分と噛み合う外面を有し、外側ローラの第１の部分及び第２の部分の両方は、外側レースと噛み合う、Ａと、Ｂであって、内側ローラが外側ローラよりも長く、各内側ローラは、それが接触している外側ローラと噛み合うそれぞれの第１の部分を有し、入力リングは、それが接触している各内側ローラのそれぞれの第２の部分と噛み合う内面を有し、内側ローラの第１の部分及び第２の部分の両方は、内側レースと噛み合う、Ｂの場合である。
【００１１】
別の実施形態では、内側ローラ及び外側ローラはギヤ接触している長さを有し、ギヤ及びレースは、トルクを入力リング上に生じさせて、入力リング上のトルクによって引き起こされる分離力を克服するのに十分な内側ローラ及び外側ローラの径方向負荷を増加させるように選択されるそれぞれの直径を有する。
【００１２】
別の実施形態では、内側レースの外面及び外側レースの内面のうちの少なくとも１つは、異なるねじれ角を有する２つの角度付きギヤ面から形成されている。２つの角度付きギヤ面は、軸方向に隣接するコンポーネント上に配置されてもよい。この構成は、コンポーネントを軸方向に移動させて遊星ギヤとギヤ噛み合い接触させることを可能にし、組み立てを容易にするために使用することができる。
【００１３】
これらの実施形態のいずれかを組み合わせることができる。
【００１４】
デバイス及び方法のこれらの態様及び他の態様は、特許請求の範囲に記載されている。
【００１５】
次に例として、図を参照しながら実施形態を説明するが、図中の同様の参照文字は同様の要素を示している。
【図面の簡単な説明】
【００１６】
【図１】磁性ピニオンを含むギヤボックスを備えるモータの一部の簡略化された概略軸端部図である。
【図２】図１のモータの一部の簡略化された概略軸端部図であり、破線で表される電磁ステータ磁極／ポストを示す。
【図３】部分的に組み立てられたステータがローラの両方の軸端部にある、図２の例示的な実施形態の概略周方向断面図である。
【図４】内側ピニオンよりも大きな外側ピニオンを含むギヤボックスの例示的な実施形態の概略断面図であり、１列当たり１６ピニオン、及び磁石を有するより大きな列のピニオンを有する。
【図５】内側ピニオンよりも大きな外側ピニオンを含むギヤボックスの例示的な実施形態の概略断面図であり、１列当たり１４ピニオン、及び磁石を有するより大きな列のピニオンを有する。
【図６】内側ピニオンよりも大きな外側ピニオンを含むギヤボックスの例示的な実施形態の概略断面図である。
【図７】例示的なギヤパターンを示す２つのローラの概略側面図である。
【図８】低角度ローブプロフィールの簡略化された例を示す図である。
【図９】噛み合い遊星ギヤの断面図である。
【図１０】噛み合い遊星ギヤの別の実施形態の断面図である。
【図１１】内側リングと外側リングとの間の経路を示す、中空ローラを含む例示的なギヤボックスの概略断面図である。
【図１２】ギヤボックスの一実施形態の正面等角図である。
【図１３】図１２のギヤボックスの後等角図である。
【図１４】非対称太陽入力を含むギヤボックスの等角切取り図である。
【図１５】図１４のギヤボックスの分解図である。
【図１６】例示的組み立てステップを示す、図１４のギヤボックスの切取り図である。
【図１７】ギヤボックス用の試験システムの等角図である。
【図１８】アイドラリングを示す例示的なギヤボックスの切取り図である。
【図１９】例示的な対称ギヤボックスの等角図である。
【図２０】図１６の対称ギヤボックスの等角切取り図である。
【図２１】非対称太陽入力を含む例示的ギヤボックスの等角切取り図である。
【図２２Ａ】薄い形状、及びギヤ根元部に切り込みを有する形状の柔らかい材料からそれぞれ形成されたギヤの一部を概略的に示す。
【図２２Ｂ】薄い形状、及びギヤ根元部に切り込みを有する形状の柔らかい材料からそれぞれ形成されたギヤの一部を概略的に示す。
【図２２Ｃ】薄い形状、及びギヤ根元部に切り込みを有する形状の柔らかい材料からそれぞれ形成されたギヤの一部を概略的に示す。
【図２３】２段式ギヤボックスの等角切取り図である。
【図２４】図２３の２段式ギヤボックスを含むアクチュエータの等角切取り図である。
【図２５】図２４のアクチュエータの側断面図である。
【図２６】先細ローラを有するギヤボックスの概略側断面図である。
【図２７】先細ローラを有するギヤボックスの分解等角図である。
【図２８】図２７のギヤボックスの側断面図である。
【図２９】図２７のギヤボックスの等角図である。
【発明を実施するための形態】
【００１７】
本明細書に記載の実施形態には、「特許請求の範囲」で言及される内容から逸脱しない軽微な変更がなされてよい。
【００１８】
本装置の実施形態は、内側固定リングから外側出力リングに、２列の遊星を介して直接トルクを伝達することによって、遊星キャリアの必要性を排除する。ギヤ減速比は、内側リングのＯＤと外側リングのＩＤとの間の差によって決定され、内側遊星及び外側遊星は、それらの間のトルク伝達負荷経路として作用する。遊星が軌道を周回されると、外側リングは、約３：１、又は場合によってはより低く、又は約６：１まで、又は場合によってはより高い比率で回転する。内側リングのＯＤが外側出力リングのＩＤに近いほど、比が大きくなる。
【００１９】
本明細書に開示される装置の実施形態は、等しい円周間隔、並びにローラ及びレースの軸方向の整列を提供するための特徴の組み合わせを使用し、ローラとレースとの相互作用により、一部の用途における追加の軸受の必要性を排除し、又は、追加の軸受の強度（したがって、コスト及び重量）を低減して、内側レースから外側レースへの軸方向の整列を提供する。更に、本明細書に開示される装置の実施形態は、ローラに直接磁力を印加して、別個のモータロータの必要性を排除する構造を提供し、ローラが出力リングよりも高速で旋回しているため、ローラ自体が減速比を有するロータとして作用する。これにより、モータギヤボックスの組み合わせの製造及び組み立てを単純化する太陽リング入力の必要性を排除する。ローラ（したがって、収容された磁石）が回転しているという事実は、エアギャップ及びステータに磁束を依然として提供しているため、有意な不利益とは考えられない。
【００２０】
装置の実施形態は、ギヤよりむしろ転がり接触のような作用及び感触を提供するのに十分に小さく、十分な数のギヤ又はローブを使用する。請求項において、用語「ローブ」はまた、用語「ギヤ」を包含する。ローブは、（くさびのように作用するギヤ歯を有するギヤとは対照的に）径方向に大きい表面領域を提供する利点を有する。一実施例では、ローブ又はギヤの圧力角は、２０、３０又は４０度を超えてもよい。代替的な構成では、ローブの代わりに高角度のギヤを使用することができる。ギヤ又はローブをヘリングボーン構成に構成することにより、ローラのギヤ指定周方向位置決めの結果として周方向ローラ間隔と、ヘリングボーンヘリカルギヤの結果として、ローラとレース及び内側ローラと外側ローラとの軸方向の整列と、ローラ上のヘリングボーンギヤが多軸（すなわち、径方向及び軸方向の位置）制約を提供するため、内側レースと外側レースとの間の軸受の必要性を排除又は低減する機能と、を含むいくつかの特性を達成することができる。ローラに永久磁石を使用すると、装置の軸端部に配置された１つ又は好ましくは２つの電磁ステータを、ローラに回転トルク及び運動を与えるように整流でき、そうすることによって、外側リング上にトルクを発生させる（内側リングを固定基準としてこれらの非限定的な例で使用するが、外側リングを固定基準として使用することができ、内側リングは出力リングであってもよいことが理解される。ステータ（単数又は複数）は、どちらが固定であり、どちらが出力であるかに関わらず、内側又は外側リングに取り付けられ得ることも理解される。
【００２１】
［永久磁石を含む実施形態］
遊星キャリアを含む典型的な従来のディファレンシャルギヤは、ピニオン内の軸受及びシャフトを必要とするため、遊星内でＰＭ（永久磁石）を使用することはできない。更に、従来の遊星ギヤ（平面の単一の円形アレイを有する）が、固定太陽ギヤと共に遊星内のＰＭを使用する場合、減速機ではなく増速機として作用する。
【００２２】
図１では、装置１０の非限定的な例示的実施形態の一部の簡略化された概略図が示されている。内側レース１２は固定又は基準レースとして作用し、外側レース１４は出力部材として作用し、内側ローラ１６及び外側ローラ１８のそれぞれのアレイは、軌道を周回するときに、内側レース１２から外側レース１４にトルクを与える。ローラを周回させるために、装置の実施形態は、１つ以上のローラに、好ましくは、図１に示されるように、全ての内側ローラ及び外側ローラに埋め込まれた永久磁石２０を有する。
【００２３】
図２は、破線で表される電磁ステータ磁極／ポスト２２を有する装置１０の実施形態の簡略化された概略図を示す。７２個のステータポスト及び６８個のローラなどの従来の電動モータ及びステータに使用することができるような、ローラ及びポストの数の範囲を使用することができる。この非限定的な例におけるローラの数は、３４個の内側ローラ及び３４個の外側ローラを含む。ステータは、ポスト又は空芯コイルを含む電磁石を有してもよい。また、図２には、図３の断面図が切断される箇所を示す切断線Ａ−Ａも示されている。切断線は、外側ローラを通って、内側ローラの間を切断する。空芯コイルが使用される場合、各空芯コイル２２から各隣接する空芯コイル２２へ磁束を搬送する軟磁性材料ｂａｃｋｉｒｏｎ２６を有することが好ましい。
【００２４】
図３は、図２の非限定的な例示的実施形態の概略断面図を示し、部分的に組み立てられたステータがローラの両方の軸端部にある。（電磁素子上のコイルは示されていない）。永久磁石２０の配置は、２つの磁石が使用され、両端部から外側ローラ１８内に配置され、それらは分離又は軸方向位置決め部材２４にまたがって一緒に引っ張り合うように配置される。これにより、追加の固定手段を必要とせずに磁石をローラに保持することができる。これは、電磁ステータ磁極２２と相互作用するときに、推進力用の磁石の完全端を提供する。磁石を挿入及び固定する他の手段も使用されてもよい。内側ローラは、外側ローラと同じ又は異なる配置を使用してもよい。磁極（ここでは空芯コイル）２２及びｂａｃｋｉｒｏｎ２６を含むステータ要素が概略的に示されている。図示のように、ステータ要素は、装置１０の両方の軸方向側にあってもよい。ステータは、固定要素、ここでは内側レース１２に取り付けられてもよい。ここで、スペーサ２８は、ｂａｃｋｉｒｏｎ２６を内側レース１２に接続するために使用される。
【００２５】
軸方向位置決め部材２４は、磁石を分離する必要はない。部材２４は、磁石が一緒に移動するのを単に防止する。（プラスチックギヤが使用される場合）プラスチックのリングによって分離された２つの単純な円筒形ＰＭで分離して軸方向位置決め部材２４を形成する場合、鋼などの軟磁性材料ディスク１１２である必要がある。これは、コスト及び簡潔さの観点から好ましい構造である。
【００２６】
軸方向位置決め要素２４は、好ましくは、ローラの少なくとも内側部分１１４（内径）を有する１つの部品として成形又は作製される。ローラ全体を単一の部品として形成することができるか、又はローラのギヤ面は、内側部分１１４が挿入される１つ以上の別個の部品であってもよい。鋼ディスク１１２などの軟磁性材料は、２つの磁石間の磁束連結経路として使用されることが好ましい。ＰＭはまた、軟磁性材料ディスクの代わりに、より小さい直径の円筒形端部セクションを有し得る。単純な円筒形磁石は、構築するのにより安価であると考えられ、それらの間の磁束結合のための鋼ディスクスペーサの使用により、このディスクを理想的な厚さに容易に調整することができる（一方、ＰＭは、同じ公差に機械加工することがより困難である）。
【００２７】
図１〜３に示される実施形態は、同様のサイズの２列のピニオン（ローラ）を有し、各列のピニオン内に磁石を含む。磁石は、図１及び２に見られるように、（１つの軸方向側から見て）１つのアレイ内に全てＮと、他のアレイ内に全てＳを有する。いくつかの構成は、他よりもはるかに小さい１つのアレイのピニオンを使用する。この場合、より大きなピニオンのみに磁石を入れることがより良好であり得る。利点としては、より小さい径方向寸法に起因するより軽いステータが挙げられる。磁石は、ピニオンのサイズに関わらず、１つの列に制限され得る。図４〜５に１列当たり１６個及び１４個のピニオンを有するバージョンで示される例は、外側アレイのみに磁石２０を有するより大きい外側ローラ１８を有する。
【００２８】
この単一列の磁石構成は、ＰＭピニオンの単一アレイ内の磁石の交番する極性を有する。
【００２９】
ステータは、いくつかの磁極を有してもよい。各磁極は、例えば、ポスト又は空芯コイルを有する電磁石であり得る。従来の３相モータに関して、ステータは、３によって分割可能ないくつかの磁極を有する必要がある（ステータを参照するとき、「磁極」又は「ポスト」という用語は、空芯コイルが使用される場合、各個々のポスト及びコイル、又はコイルを指す）。４によって分割可能な磁極の数を有することも有用であり得、３及び４の両方によって分割可能である場合、１２によって分割可能である。
【００３０】
ロータポストの数（ここではロータポストは、磁石を含む隣接するローラに対して交番する磁極の永久磁石を含むローラの数を指す）は、ステータポストの数に基づいており、集中巻の場合、ロータポストの数は、ステータポストの数よりも多いか、又はそれより少ない。例えば、−２又は＋２であるが、−４又は＋４が好ましく、これは、エアギャップの周りに磁力を分配してステータ上の曲げ負荷を低減するためである。他の違いもまた機能するであろう。
【００３１】
ここで、ロータポストの数は、それらの中の磁石を含むピニオンの数であり、典型的には、ピニオンの総数又はピニオンの列の１つにおけるピニオンの数のいずれかである。
【００３２】
列における好適な数のピニオンの例は、１列のピニオンに磁石を有する実施形態では、図４に示すように１６個である。
【００３３】
図１〜５に示される実施形態は、本明細書では、太陽なし（sunless）自己増力（self-energizing）ギヤボックスと呼ばれる。これらの実施形態は、非常に単純である。それらはそれぞれ、１つの（典型的には固定された）内側リングと、１つの外側リング（典型的には、出力に接続される）のみを有する。ローラは軸受として作用し、従来の軸受の必要性を低減又は排除する。これは、外骨格のような高速を必要とする任意の単純且つ低コストのアクチュエータである。本出願に開示されている実施形態は、例えば、米国特許出願公開第２０１７／０１８１９１６号に開示されているようなエクソスケルトンで使用することができる。
【００３４】
図６は、１列当たり１４個のピニオンを有する実施形態を示し、図５よりもピニオンサイズの差が小さい。磁石は示されていない。これらの実施形態の全ては、磁石と共に、又は磁石なしで使用することができる。磁石なしで、入力力は、以下に記載及び図示されるように、入力ギヤによって供給され得る。
【００３５】
［ギヤ又はローブ構成］
図７は、内側ローラ１６上の内側ヘリングボーンギヤ又はローブ３０、及び外側ローラ１８上の外側ヘリングボーンギヤ又はローブ３２の非限定的な例を示す。ギヤ又はローブ３０及び３２は、線によって概略的に示されている。ギヤ又はローブ３０及び３２は噛み合うが、この図では、ギヤはわずかに分離されていると思われる。ヘリングボーンギヤ又はローブは、ローラの軸方向の位置決めを拘束するのに役立つ。軸方向の位置決めは、表面又は別のローラと同時に接触するローラの異なる部分において異なるねじれ角を有するギヤ又はローブの任意の使用によって拘束されてもよい。図７に示すヘリングボーン形状は、この一例に過ぎない。以下に定義される「圧力角」と区別するために、この段落で言及される角度は、軸方向から離れるローブ山部又は谷部の角度であり、ねじれ角と呼ばれる。（ローブ３０を示す線を軸に平行な点線に接続する弧によって表される）ねじれ角３４は、この実施形態では、ローラの異なる軸方向部分に対向する。この対向する非ゼロ角度は、異なる軸方向部分上の異なるねじれ角の一例である。
【００３６】
この装置は、トラクション面と協働するように構成され得るが、例えば図８に示されるようなローブの使用は、ギヤ間のより高い角度での摺動を防止することによって、見かけの摩擦係数を増加させる効果を有する。したがって、負荷下のときの平均最大圧力角が、ローブ又はギヤの面が係合解除するのを防ぐのに十分低い限り、正弦波プロフィールなどの、高有効圧力角のローブを使用することができる。
【００３７】
高有効圧力角のローブプロフィールの簡略化された例を図８に示す。高有効圧力角のローブ形状は、径方向に活性である表面領域を増加させることによって、高い転がり接触能力を可能にすると考えられる。増大したトルクを有する径方向接触力を増大させる自己カム効果と、この低有効圧力角のローブ形状との組み合わせは、最小限の摺動、したがって低転がり摩擦をもたらすことが期待される。
【００３８】
高有効圧力角−従来のギヤボックスでは、高圧力角は、トルク伝達中にギヤ間の高い分離力をもたらすであろう。装置の実施形態では、ローブ圧力角は、カム角度が確立されるように、接触領域の有効摩擦係数を増加させるのに十分低い。この臨界有効摩擦係数（ＥＦＣ）が確立されると、自己増力効果により、ローラは、摺動又は省くのではなく、トラクション圧力を増加させる。図８は、ローラとレースとの間のローブ接触を示す。破線の曲線は、底部のローラのピッチ直径及び上部のより大きい直径のレースを表す。長破線Ａは、非ギヤ境界面である場合の実際の接触角を表し、ローラの軸に対して径方向である。線Ｂは、ローラがレース上で転がるときのローブ噛み合い中の最大圧力角を表し、ローブの表面に垂直である。線Ｃは、ローラがレース上で転がるときの負荷噛み合い中の最小圧力角を表し、ローブの表面に垂直である。トルク伝達中、接触圧は一方向に付勢されるため、接触線Ｂの反対方向に効果的な接触がない。この接触パターンの結果として、平均有効圧力角は線Ｄに沿って、線Ｂと線Ｃとの間のほぼ中間である。
【００３９】
（その内容は参照により本明細書に組み込まれる）国際公開第２０１３１７３９２８（Ａ１）号に記載されているように、内側レース及び外側レースのそれぞれは、円形であってもよく、軸を中心に置かれてもよい。トラクション角度φiは、以下のように定義されてもよく、第１の外側ローラに接触する第１の内側ローラの各対に対して、トラクション角度φiは、第１の内側ローラの中心を通って軸から外向きに延びる第１の線と、第１の外側ローラと外側レースとの接点及び第１の内側ローラと内側レースとの接点から延びる第２の線との間の角度として定義される。ローラの軌道運動は、内側レースと外側レースとの間の差動運動をもたらし、したがって、トルク力は、ローラを介して内側レース及び外側レースとの間で伝達される。このトルク力は、隣接するローラの接点間で伝達され、したがって、周方向成分と、トラクション角度の接線に等しい径方向成分との比を有するトラクション角度で伝達される。したがって、国際公開第２０１３１７３９２８（Ａ１）号に記載されているように、内側レースと内側ローラとの間の摩擦係数が角度の接線よりも大きい場合、トルクは、大きな予圧又は径方向負荷を増加させるための任意の追加の機構を必要とせずに、トルクが増加するにつれてトラクションを維持するのに十分な径方向成分を生成する。これは、本明細書では「カム効果」と呼ばれる。このカム効果を呈する装置はまた、本明細書では「自己増力」と呼ばれてもよい。
【００４０】
ローラ上のギヤ又はローブを用いて、摩擦係数は、ローラを互いに回転摺動させないように自己増力効果を生じさせるために依拠されない。その代わりに、ギヤ又はローブは、ローラを互いに及びそれらのそれぞれのレースに時機を合わせるように機能する。
【００４１】
図７に示される実施形態では、ローブは、ローラの実質的に全径方向表面を覆い、内側ローラローブは、外側ローラローブ及び内側レースローブの両方と噛み合い、外側ローラローブは、内側ローラローブ及び外側レースローブの両方と噛み合う。しかしながら、ローラの一部分のみにローブを有することも可能である。また、隣接ローラではなく、対応するレースと接触しているローラの異なる部分、したがって、異なるローブを有することが可能である。異なる接点のためのローブ、ギヤ、又はトラクション面の異なる選択を有してもよい。
【００４２】
［ギヤ歯プロフィール］
本発明の装置の実施形態は、遊星の２つの列との間、及び遊星とレースとの間のギヤ接触を使用する。このギヤ接触は、より大きいカム角度及び潜在的により高いトルク伝達を可能にする。ギヤ接触で解決しようとする１つの課題は、ギヤ付きコンポーネント間の径方向圧縮が、非共役運動をもたらすことができ、また、噛み合い遊星の受容歯間に強制的に作用するくさびとして作用する１つの遊星の歯のくさび効果の結果として、高摩擦及びコギングをもたらすことができることである。このくさび効果は、ギヤ接触面に平面に位置するピニオン間の径方向力の高い機械的利点をもたらし、高摩擦及び摩耗をもたらす。ギヤを径方向に共に強制することはまた、ピニオン回転中のギヤ歯接触の異なる位相全体にわたって機械的利点が変化するにつれて、可変摩擦力をもたらす。この可変摩擦力は、コギング及び不規則な摩耗をもたらす可能性がある。
【００４３】
装置のための新しいギヤ歯プロフィールは、転がり接触によってもたらされないトルク伝達の残りを提供する複雑なギヤ歯プロフィールと組み合わされた、トラクション係数での転がり接触の組み合わせを提供する。
【００４４】
本明細書に記載されるように、スパーギヤと共に使用される場合、ギヤ歯間の円筒形の転がり接触面の使用は、ギヤ接触の量を低減する（すなわち、接触比を減少させる）。円筒形の転がり接触の十分に高い割合で、１未満のギヤ接触比が生じる。この比率までの比率では、１を超える転がり接触比を達成することは困難であるか、又は不可能である。本明細書に記載されるようなはすばパターンの使用は、ギヤ間の連続するギヤ接触、並びに滑らかな回転接触及び中断されないギヤトルク伝達を提供することができる。ローラの異なる軸方向部分に螺旋方向を有するはすばは、ヘリングボーン歯を形成することができる。
【００４５】
図９に示される一実施形態では、例示的な修正された複雑な形状を有するヘリカルギヤ６０が、遊星の内側列に使用される。内側遊星ギヤ６０は、外側遊星ギヤ６２と噛み合う。内側遊星ギヤ歯６４のＯＤは必ずしも修正する必要はないが、遊星の外側列との転がり接触を提供するために、内側遊星歯の根元部６６は、通常の円筒形表面７０よりも大きく作られて、外側遊星歯６８の先端部と円筒形の転がり接触をもたらす。外側遊星歯の根元部７４は修正されていないが、従来のギヤ歯プロフィール７６と比較して、外側遊星歯６８のＯＤは、短縮された先端を有するように作られ、先端は、内側遊星の根元部６６との転がり接触で噛み合う円筒形表面７２を有する。このようにして、ヘリカルギヤ歯プロフィールと組み合わされると、非常に大きな円筒形表面領域７０と非常に大きい円筒形表面領域７２との間で常に、転がり接触を維持することができ、ギヤ接触もまた常に維持することができる。このギヤ歯プロフィールの最適化された構成では、ギヤ面の複雑な形状は、両方のギヤのピッチ直径として使用される転がり接触直径を有する共役ギヤ運動を提供するように調整される。なお、このギヤ歯形状では、１つのギヤの平底根元部に対応する領域７８の円筒距離は、他のギヤの平らな頂部の先端に対応する領域８０の円筒距離にほぼ等しいことに留意されたい。この角度距離は、図１０の薄い歯８４によって示されるように、歯の角度寸法を減少させることによって増加させることができる。
【００４６】
同じ転がり／ギヤ接触原理は、外側リングギヤ（図９及び１０には示されていない）と噛み合う外側遊星に適用される。この場合、外側リングギヤ歯の根元部は円筒形であり、従来のギヤと比較して低減されたＩＤを有する。外側ギヤロールの円筒形根元部は、短縮された外側遊星ギヤ歯の円筒形ＯＤ上にある。
【００４７】
内側固定リングギヤ歯は、リングギヤ歯の根元部が比較的修正されず、内側固定リングギヤの円筒形ＩＤが低減されて、この円筒形表面の表面領域を増加させることによって、内側遊星ギヤと噛み合う。
【００４８】
このようにして（又は他の変形によって）材料が、噛み合いセット内の第１の噛み合いギヤの根元部に加えられ、それによって、転がり接触のための円筒形表面の根元部の材料が増え、一方、材料が第２の噛み合いギヤ歯の歯の先端部から除去され、それにより第１のギヤ上の歯の根元部が、第２のギヤの歯の先端上で転がる。次いで、（図９に８２で示すように）第１のギヤの先端部と第２のギヤの根元部との間に隙間が形成されるため、ギヤのピッチ直径と同軸ではないこれらの先端部及び根元部の相対運動は、ギヤ噛み合いの摩擦を増加させない。
【００４９】
多くのロボット用途などの多くの用途では、円筒形の回転面間のトラクションが方向変化中のバックラッシュの感触を低減するため、いくつかのバックラッシュは、ギヤ噛み合いの周方向に許容される。これにより、ギヤ歯のタイミング及び軸方向位置を提供する小型ギヤの歯と低摩擦でトルクを滑らかに伝達する。本装置のカム作用は、トルクの一部が、転がり接触のトラクションを介して伝達されるため、より小さいギヤ歯をトルク伝達に使用することを可能にする。
【００５０】
［ローブギヤ］
正弦波形状のギヤ形状を使用する、比較的単純なギヤ歯プロフィールを有する合理的な性能が示されている。この形状は、純粋な正弦波、又はローブを形成する一連の連結された弧などの近似正弦波であってもよい。十分に多くのローブを有すると、歯の高さは、滑らかな転がり接触のために、径方向のローブの先端部及び根元部に十分な表面領域を提供しながら、ギヤ歯間の摺動運動を低減するために、十分に低い。例えば、ローブ高さは、ギヤ、例えば、内側ローラギヤ又は外側ローラギヤの半径の１／２０、１／３０又は１／４０未満であってもよい。高いねじれ角の使用は、接線方向における一貫した径方向接触及び一貫したトルク伝達表面領域を提供する。このローブ形状が本装置の自己カム形状で使用されるとき、トラクション角度は、接線接触によってトルク伝達がどの程度提供されるか、そして歯の先端部との半転がり接触における歯根元部のトラクションを介してどの程度提供されるかを決定する。
【００５１】
［トルク伝達］
装置の実施形態は、プラスチックから構築された場合でも、非常に堅固なトルク伝達を表す。装置の実施形態の回転剛性ポテンシャルは、従来の遊星ギヤ列による可能性よりもはるかに高いと考えられる。これは、内側ギヤ及び外側ギヤを介して、ほぼ直線のアレイを介して内側ギヤから外側ギヤに伝達されるためである。この直線トルク伝達は、図１１の簡略化されたＦＥＡ分析で示される。図１１により明るい陰影で示される応力線１１０をマークするために、矢印が追加される。
【００５２】
増加した径方向予圧は、剛性を増加させることができるが、転がり摩擦も増加する。転がり摩擦の増加は常に有益ではないが、有用な場合がある。機械加工では、例えば、工具負荷又は振動の結果としてギヤボックスのバックドライブを防止することが望ましい。他の用途では、安全ブレーキが必要とされる用途のように、高い予圧を使用して、特定のバックドライブトルクよりも下でギヤボックスのバックドライブを行うことができる。これにより、例えば、電流と係合解除されなければならないブレーキのコスト及び複雑さ及び電力消費を低減する。
【００５３】
［入力リングを有する実施形態］
一実施例では、ギヤボックスの自己増力部分は、１７個の均等に離間配置された内側遊星と噛み合う固定内側太陽ギヤメッシュからなり、これは次に１７個の均等に離間配置された外側遊星と噛み合う。次いで、外側遊星は、外側リングと噛み合う。この段の入力は、遊星の軌道であり、出力は外側リングの運動である。入力段は、遊星ギヤを使用することによって、自己増力段で遊星を駆動する。この段では、入力としての太陽、出力としての遊星回転、及びアイドラ外側リングを使用する。４５°ヘリカルプロフィールは、各ギヤのヘリングボーン構成で使用される。
【００５４】
本実施形態で使用されるギヤ歯の直径及び数を表１に示す。
【００５５】
【表１】
2021500518.tif 000003
【００５６】
装置の実施形態のトラクション及びギヤ構成は、国際公開第２０１３１７３９２８（Ａ１）号に記載されている。本開示は、ギヤ入力及びギヤ歯プロフィールを使用する構成と、遊星を均等に離間して（円周方向及び軸方向に）維持する効果的な方法、非対称入力を介して部品数を最小化する方法（単数及び複数）、並びに、内側又は外側遊星アレイへの非対称太陽リング入力を介して減速比を増大させる簡略化された方法を含む利点を提供する構成とを含む。
【００５７】
図１２及び図１３は、ギヤボックス４０の実施形態のそれぞれ正面等角図及び背面等角図を示す。図から分かるように、内側ギヤ４２上のヘリングボーン形状ギヤ歯４６と、外側ギヤ上の噛み合いヘリングボーン形状ギヤ歯４８を含む内側ギヤ４２及び外側ギヤ４４がある。この実施形態では、内側ギヤ４２のみがギヤボックスの後方に延在する。外側レース５０は、遊星ギヤを駆動し、内側ギヤ４２は、異なるサイズの内側レース５２及び５４に接触して、１つの内側レース５２を他方の内側レース５４に対して駆動する。
【００５８】
［軸方向外向き太陽ギヤ入力］
遊星とリングギヤとの間のギヤ接触の使用は、それらを均等に円周方向に離間させる。ヘリングボーンギヤ又はローブ歯の使用は、軸方向におけるギヤの移動を防止する。これにより、ギヤは、径方向及び軸方向（スラスト軸受）方向の両方において、内側固定ギヤと外側出力ギヤとの相対位置の軸受として使用することができる。これは、複雑性及びコストを低減する利点である。
【００５９】
ヘリングボーンギヤ又はローブのこの組み合わせの別の利点は、ギヤボックスの径方向軸を中心にねじれることなく、ギヤボックスの一方の側のみから内側又は外側遊星を駆動する能力を改善することである。（この部分組み立てスケッチに示されるように）外側遊星９２に、あるいはローラが固定される同じ又は異なるピッチ直径の内側ローラ９４に固定される図１４のギヤ９０を使用することにより、太陽ギヤ９６の入力を使用することによって減速（又は逆の場合速度増加）比を増加させることができる。この片面駆動はまた、螺旋状に整列された２つ以上のアレイの代わりに単一のギヤアレイを使用することを可能にするため、組み立てにも有益である。これらのヘリカルギヤは、組み立て中に一緒に螺合されなければならず、そのため、軸方向に１組の遊星のみを有することにより、内側固定リングギヤ及び／又は外側出力ギヤは、２つの部品で製造され、両方の軸端部から一緒に螺合されることを可能にする。
【００６０】
装置の非限定的な例示的実施形態の組み立て方法の例では、以下は、本明細書に記載される原理に従って幾何学的形状が作成される場合に、装置を組み立てることができる１つの方法について記載する。
【００６１】
［組み立て］
図１５は図１４の装置の分解図であり図１６は図１４の切取り図である。図１４に示される部品はまた、図１５に存在する。加えて、外側遊星を一時的に整列させるためのピン９８と、ピンを受容するための孔１０２を有する外側出力ギヤ１００と、入力太陽ギヤ９６と結合する入力太陽リング１０４と、固定太陽ギヤ１０８と結合する固定太陽リング１０６とがある。
【００６２】
組み立ての順序は以下の通りであり、図１６のステップ番号を含むボックスによって示される。ステップ１において、外側遊星９２は外側出力ギヤ１００に挿入される。それらは装着される第１のコンポーネントであるため、径方向の運動を介してそれらを配置する余地があり、ヘリングボーン噛み合いにも関わらず、外側出力ギヤ及び外側遊星が１つの部品として作製され得る。ステップ１Ａにおいて、ピン９８は、外側遊星９２の孔及び外側出力ギヤ１００の孔１０２を通って挿入される。これらのピンは一時的な位置合わせのためのものであり、必要がなくなった場合、除去されてもよい。ステップ２では、入力太陽リング１０４が挿入され、外側遊星ギヤ９２に固定されたギヤ９０の第１の半体と噛み合いする。ステップ３では、内側遊星９４が設置される。これらはまた、径方向に挿入することができる。ステップ４では、固定太陽リング１０６が設置され、内側遊星ギヤ９４の一部と噛み合いする。ステップ５では、固定太陽ギヤ１０８が挿入され、内側遊星ギヤ９４の他の部分と噛み合いする。固定太陽リング１０６と固定太陽ギヤ１０８は、一緒に固定されてもよい。ステップ６では、入力太陽ギヤ９６が挿入され、入力太陽リング１０４に固定されてもよい。
【００６３】
この非限定的な実証例示的な実施形態を操作するために、太陽を回転させ、内側リングを保持することにより、外側リングを約７：１の低減された比率でスピンさせる。
【００６４】
本明細書に示されるように、外側遊星が太陽ギヤによって駆動される場合、本明細書に示されるように、外側ピニオン直径より大きいギヤによって入力される場合、固定リングギヤのＯＤよりも大きい、より大きい太陽入力リングギヤの最小寸法を有することが好ましい。このようにして、上述のように、内側太陽ギヤリング部材（２）が内側面外方からより大きい太陽入力ピニオンギヤに螺合された後、内側固定リング（４、５）の２つの半体が、ピニオンの内側列のいずれかの側から一緒に「螺合」され得るため、ギヤボックスの組み立てが可能になる。更に、内側固定リングのＯＤが太陽入力リングの半体よりも小さい場合には、太陽入力リングギヤアセンブリは、軸受を必要としないように、ヘリングボーンプロフィールとすることができる。太陽入力リングの内側半体は、黄色の内側ピニオンが挿入される前に、アセンブリの内側から太陽ギヤ入力ピニオンギヤと係合するように「螺合される」ことができ、次いで、ピニオンの内側（黄色）列が挿入され、内側固定ギヤヘリングボーンの２つの半体が両方の軸端部から組み立てられた後に、太陽ギヤヘリングボーンの他の半体が、外側から螺合されて太陽ギヤの第１の半体にボルト締めされることができる。
【００６５】
［ギヤの組み合わせ］
この装置の多くの潜在的な利点が存在するが、この時点では、完全なギヤ噛み合いを提供する既知のギヤの組み合わせが存在しないことが本発明者らによって示されている。
【００６６】
これまでに、遊星及びギヤリングの遊星数及びギヤの歯数の１００万以上の組み合わせが試験され、完全な解決策は可能ではない。これにより、可能性の不完全性を低減するように可能性を狭める必要がある。
【００６７】
使用可能な組み合わせを選択するための制約は、以下を含む。
【００６８】
２：１より大きい内側固定リングと外側出力リングとの間の減速比を提供するのに十分大きい太陽と外側リングの直径差（遊星の２つの軌道は、出力リングの１回以上の回転をもたらす）。最小５個から最大３０個の範囲の遊星数であるが、遊星のこの範囲の超える追加の解決策が存在する。
【００６９】
０．７ｍｍより大きいギヤ歯ピッチ（これは、射出成形を含む一般的なギヤ製造方法による製造を可能にするためである）。
【００７０】
約８９．２５ｍｍの外側リングＯＤは一定に設定し、ギヤ直径を必要に応じてより大きい又はより小さい直径に拡大縮小することができることが分かっている。用途により。この直径は、ロボット工学市場に有用なサイズのものとして選択された。
【００７１】
不完全な解決策のみが見出されてきた。ギヤの組み合わせにおける欠点は、ギヤ歯の不完全な位置合わせ、又は噛み合いギヤのモジュールにおける不整合のいずれかとして示される。典型的には、遊星の内側列は内側固定ギヤとよく噛み合い、遊星の外側列は外側出力リングギヤとよく噛み合うが、内側遊星歯は、外側遊星列ギヤに位置合わせされない。一部の位置ずれは、材料のコンプライアンスに起因して許容され得るが、位置ずれが大きいほどギヤボックスのトルク伝達能力が低くなり、ギヤ間の干渉による摩擦が大きくなる。
【００７２】
より多く、より小さい歯の使用は、潜在的な選択肢の数を増加させるが、小さいギヤ歯は製造及び組み立てをより困難にし、小さい歯はまた、場合によってはトルク伝達を低減し得る。
【００７３】
より少ない遊星の使用は、遊星の製造性を増加させるが、より多くの遊星は、負荷が遊星間で共有されると仮定して、より大きな最大トルクを可能にし、追加の解決策を提供する。
【００７４】
これらの考慮事項の全てが考慮されると、使用可能な組み合わせの数は、驚くほど少ない。不正確指標を使用して、さまざまな選択肢を、特定の選択肢に対する遊星間噛み合いのずれを示す指標と比較した。
【００７５】
潜在的に使用可能な構成は、０．０００４未満のＲＭＳ誤差係数を有する解決策に限定されており、以下の表に示される。示されるものよりも高い誤差係数は、特定の用途に適している。加えて、図示された構成は、歯の数を一定に保ちながら幾何学的に拡大縮小されてもよい。
【００７６】
以下の表２に示される誤差係数は、角度誤差及び直径誤差の両方を考慮している。所与の比は、入力が入力太陽の回転であり、内側リングが静止状態に保持され、外側リングが出力であると仮定する。
【００７７】
【表２−１】
2021500518.tif 000004
【表２−２】
2021500518.tif 000005
【００７８】
少なくとも１ｍｍのギヤ／ローブ歯を選択し（３Ｄ印刷用）、誤差率を最小化して、アルゴリズムによる発見分析は、数百万個の可能性を反復的に調査した後、数百の正の選択肢のみを生成した。
【００７９】
他の理想的な選択肢が示されている。
【００８０】
ギヤの組み合わせに含まれるのは、同位相及びずれた位相の両方のギヤである。位相がずれたギヤを含むと、同位相解決策のみと比較して解決策の数が著しく増加する。加えて、誤差係数は、位相ずれ解決策では低くなる傾向がある。
【００８１】
［試験台］
出力トルク能力を試験するために、ギヤボックスの固定及び入力コンポーネントに固定されるように、別個のコンポーネントが設計され、３Ｄ印刷された。図１７は、レバーアーム上の質量をギヤボックスに接続し、質量を持ち上げるために必要なトルクを測定するために使用されるトルク試験セットアップを示す。図１７に示すように、１フィートのレバーアーム１１２を出力外側リングに接続して、ギヤボックスの出力をロードし、出力トルクは、取付点１１４に取り付けられた質量（図示せず）をアームの長さで乗算して計算した。装置を介するトルク伝達のために、レンチ（図示せず）をアームの入力１１６に取り付けた。
【００８２】
［アイドラリング］
図１８に示すように、大ギヤ９０上の大径外側遊星ギヤ歯の周りのアイドラリング１１８を挿入して、ギヤが通電される際に遊星ギヤと入力太陽ギヤ歯との間の分離を防止することができる。
【００８３】
［対称構成］
遊星の曲げを防止するために、自己増力ギヤは、図１９及び２０に示されるように、入力の両側に配置され得る。この構成により、遊星がギヤボックスの中心軸に平行に留まることを確実にする。外側入力リング１２０は、固定リング１２２によって両側に取り囲まれ、内側遊星ギヤ１２４と噛み合い、内側遊星ギヤ１２４を駆動する。内側遊星ギヤ１２４及び外側遊星ギヤ１２６は、２列ローラシステムを形成し、固定リング１２２に対して出力太陽リング１２８を駆動する。
【００８４】
［主ローラ直径での入力リングの噛み合い］
図２１は、片面入力自己増力ギヤボックスの非限定的な例示的実施形態の切取り等角図を示す。ここでは固定リングである内側リング１３０は、ギヤ付き内側ローラ１３２のアレイと接触している。ここで出力リングである外側リング１３４はまた、ギヤ付き外側ローラ１３６のアレイとギヤ接触しており、ギヤ付き外側ローラ１３６のそれぞれは、２つのギヤ付き内側ローラ１３２と接触している。入力トルクは、ギヤ入力リング１３８を使用して供給される。図示の実施形態では、ギヤ入力リング１３８は、外側ローラとギヤ接触する径方向外側に面する部分を有する。この実施形態では、外側ローラ１３６は、内側ローラ１３２と噛み合う第１の部分１４０と、入力リング１３８と噛み合う第２の部分１４２と、同じ直径を有する。第１の部分１４０及び第２の部分１４２の両方は、外側リング１３４と噛み合う。ここで、第１及び第２の部分は、ローラ１３６のそれぞれの端部を含むが、図２０に示されるような対称配置を使用することもできる。外側ローラと外側リングギヤとの係合は、それらの長さに沿った全ての方法により、ローラが整列した状態を維持するのに役立つ。示される実施形態では、単一のギヤ噛み合いは、第１の部分１４０及び第２の部分１４２の両方を覆うが、これらの部分はまた、別個のギヤ噛み合いを有してもよい。図示される実施形態は、直線状の切断ギヤを有するが、ヘリカルギヤも使用することができ、また上述のようにヘリングボーンギヤも使用することができる。
【００８５】
入力リング１３８にトルクが加えられると、その個々の軸の周りのローラのそれぞれへの回転トルク伝達に加えて、外側ローラ１３６に伝達されるねじれのねじれ負荷が存在する。２列のローラを介する内側リング１３０と外側リング１３４との間の自己増力（又はカム）効果の結果として、２列のローラ上のギヤ並びに内側リング１３０及び外側リング１３４は、装置のトルク出力が増加するにつれて比例的に係合される。特定の長さの外側ギヤ付きローラ及び特定の減速比では、ギヤを互いに噛み合わせる自己増力効果は、入力太陽ギヤ１３８からの入力のねじれ効果よりも外側ローラに対してより大きな矯正効果を有する。最も長いローラの長さは、軸方向における装置の全幅に対応してもよい。ギヤを噛み合い解除してギヤのねじれをもたらし得るギヤの分離力ではなく、ギヤを噛み合わせるカム効果を生じる、内側リング１３０から外側リング１３４に伝達される出力トルクの結果により、入力ギヤ１３８にトルクが加えられるときに、外側ローラ１３６と外側リング１３４との噛み合いが外側ローラ１３６を矯正することを確実にするために、この幅と減速比との組み合わせは当業者によって計算されることができる。ギヤボックスのギヤ比のため、入力ギヤ１３８上の入力トルクは、遊星１３６及び１３２を介して伝達されるトルクよりも著しく低くなる。７：１の比率では、入力トルクは出力トルクのおよそ１／７である。その結果、外側遊星１３６の主な力は、内側リング１３０から外側リング１３４へのトルク伝達による負荷である。カム効果からの径方向負荷コンポーネントは、外側遊星１３６の接触ギヤ歯が外側リング１３４内の対応するギヤ歯に径方向に押し込まれることを確実にする。この径方向負荷は、入力ギヤ１３８からの入力トルクに起因するねじれ効果に対抗する矯正効果をもたらす。この効果は、ギヤ歯内のより大きい圧力角、又はギヤにおける径方向負荷の増加によるより大きいカム角度でより強くなる。
【００８６】
ピンオン長さ対ピニオン直径のアスペクト比が大きいほど、太陽リング入力からのねじれ力の結果として、ねじれてしまう可能性が低い。この関係は、２つの理由から存在する。一般的に言えば、所与のギヤボックスＯＤ及び幅に対するアスペクト比が大きいほど、ピニオン径が小さくなり、したがって減速比が高くなる。一般的な傾向として、減速比が大きくなると、太陽リング入力で低いトルクを必要とする増大した低減率により、太陽の入力によって生成される低減されたねじれ力と比較して、ピンオンとリングとの間により深い噛み合いを生成するために使用することができるピンオン上の径方向力が大きくなり、したがって、位置合わせ効果が大きくなる。このため、本発明者は、ギヤボックスが太陽入力から出力リングにトルクを伝達しているときに、１：１、１．５：１、２：１、２．５：１、３：１、３．５：１、４：１より大きいピニオン長さ対直径比が、ピンオンを自己整合させるのに好適であると考える。
【００８７】
代替的な構成では、外側リング１３４を固定することができ、内側リング１３０を出力として使用することができる。この構成は、ギヤ比が１だけ低減され、出力方向が逆転されるが同様に機能する。また、外側リング及び内側リングは両方とも移動可能であり得、ギヤボックスは、これらの間の差を出力として、内側リング及び外側リングの移動に依存するギヤ比で提供する。
【００８８】
別の可能性は、自己増力ギヤボックスをツール出力装置として使用することである。具体的には、モータが太陽ギヤ入力に取り付けられ、内側リングが、反時計回りに回転しなければならないシャフトに取り付けられた外側出力リング内で時計回りに回転するシャフトに取り付けられている場合、逆動差動接合部が形成され得る。
【００８９】
入力リングが、例えば、外側ローラ及び入力リングとそれぞれ噛み合う第１及び第２の部分を有する内側ローラ１３２の外側と噛み合い、両方の部分が内側リング１３０と噛み合う場合、同じ原理が適用されることが理解される。
【００９０】
この設計は、直線的な切断ギヤ歯、ヘリカルギヤ歯、ローブ、又は他のプロフィールを使用することができる。
【００９１】
上述したもののような直線的な切断のギヤ歯設計は、ヘリングボーン設計と比較したときに著しく少ない部品数と、一方の側からギヤをアセンブリに挿入することを可能にする設計とを有することが有利であり得る。
【００９２】
直線的な切断のギヤ歯設計は、ヘリングボーン設計のような遊星上に軸方向拘束を有しておらず、したがって、遊星を軸方向に拘束するための何らかの機構を必要とする。この設計により、いずれかの軸端部にフェンス（図２１には示されていない）を使用することにより、遊星がギヤボックスから軸方向に浮遊するのを防止する。遊星の軸端部を覆い、潤滑を加えることによって、摩擦による損失が最小限に抑えられる。
【００９３】
［負荷共有］
典型的な遊星ギヤボックスでは、３を超える多くの遊星が、非常に正確な公差なしでは、均等に負荷を共有しないことが予想される。自己増力ギヤボックスは、３つを超える遊星対を有し、追加の遊星の強度の使用を最良にするために負荷共有が存在することを確実にするための何らかの機構を有さなければならない。このギヤボックスが、このギヤボックスの異常な負荷分布を利用する本明細書に記載されているいくつかの非限定的な機構を利用することができるいくつかの機構がある。
【００９４】
自己増力ギヤボックスにおける負荷共有の１つの非限定的な機構は、遊星、内側リング、外側リング、又はこれらの任意の組み合わせの径方向可撓性である。上記の遊星のカム効果により、外側リング、遊星、及び内側リングの間で伝達される、ギヤボックス内に強力な径方向負荷コンポーネントが存在する。これらのギヤのいずれかが径方向の可撓性を有する場合、ギヤは、カム効果の径方向負荷下で圧縮することができる。この可撓性のために、多数の遊星の公差帯域を受け入れることができ、それにより、遊星が負荷を共有することが可能となる。この径方向の可撓性は、これらに限定されるものではないが、薄い壁、より低い材料剛性、又は歯間の径方向スロットなどのギヤ歯根元延長部が挙げられるが、これらに限定されなくてもよい。
【００９５】
負荷共有機構に関わらず、径方向（カム）負荷が高くなるほど、より大きな負荷共有効果に起因して遊星負荷はより類似する。より高い径方向負荷は、ギヤ歯形状のより高い圧力角、並びに遊星接点のより高いカム角度を伴い存在する。
【００９６】
別の負荷共有機構は、ギヤボックスの２レベルの遊星構造から生じる。遊星が互いにカム取り付けされると、内側遊星と外側遊星との間の負荷がかかっていない遊星−遊星噛み合いは、負荷がかかった遊星−遊星噛み合いを安定化させるように作用する。その結果、所定の位置に「ロック」するために十分な径方向負荷を発生させる前に、遊星位置に少量のシフトがあると考えられる。この効果は、遊星間の負荷共有を増加させることが期待され、より低い圧力角でより強い効果であることが予想される。
【００９７】
負荷下の自己増力されたギヤボックス上の応力分布は、これらのコンポーネントに径方向負荷を誘発する。この径方向負荷は、これらのコンポーネントを更に変形させ、自己増力されたコンポーネントをより変形しやすくすることによって、それらを負荷共有させるために使用することができる。これは、自己増力されたコンポーネント（すなわち、外側リング、遊星、及び内側リング）の全体的な剛性を低減することによって達成することができる。この種類の剛性変化を達成するために、３つの異なる方法を実施することができる（図２２Ａ〜２２Ｃ）。第１の方法は、材料剛性の変化を使用して、そのようなコンポーネントの全体的な剛性を低減し、これは、コンポーネントが同じ径方向負荷下でより変形し、ギヤ歯が受ける同様の接線負荷下で変形しやすくなることを意味する。径方向及び接線方向の負荷によって生じる変形は、より効率的な負荷共有及び全体的なより剛性のギヤボックスに向けて有利であろう。十分に低い剛性の程度は、ギヤ公差に依存する。２２Ａは、低剛性材料で形成され得る公称厚さギヤ１５０の例示的な部分を示す。第２の方法は、幾何学的アプローチ（例えば薄い壁）を使用して、これらのコンポーネントの全体的な剛性を変化させる。これにより、コンポーネントの剛性が低くなり、特定の径方向負荷下でより変形しやすくなる。図２２Ｂは、薄壁ギヤ１５２の例示的な部分を示す。第３の方法は、壁厚が公称サイズに留まる更に別の幾何学的アプローチを使用するが、歯の幾何学的形状は、根元部に径方向スロットを有するように修正される。この方法では、径方向及び接線方向の負荷の両方はギヤ可撓性に影響を及ぼし、より効果的な負荷共有を可能にする。図２２Ｃは、根元部に径方向スロット１５６を有する公称厚さギヤ１５４の例示的な部分を示す。
【００９８】
開示される設計は、入力が入力リングによって供給されるため、遊星キャリア及び軸受の必要性を排除することができ、周方向の位置はギヤによって与えられ、軸方向位置は、例えば、フェンス、先細ローラ、又は異なる角度のギヤを有する部分によって供給されてもよい。
【００９９】
遊星キャリア及び軸受の必要性を排除することにより、これらの位置決め要素の公差の積み重ねが排除される。これにより、リングギヤを有する３つを超える遊星ギヤの噛み合いがはるかに一貫していることを可能にする。
【０１００】
排除される公差積み重ね要素は、遊星キャリアピンの位置を含む。遊星キャリアの同心性、軸受の流出、及びピニオンのそれぞれの軸受孔とギヤのピッチ円との偏心。
【０１０１】
これらの公差積み重ね要因を排除することに加えて、径方向の可撓性を、いくつかの異なる方法で設計に導入することができる。径方向の可撓性を導入することは、ピニオンのサイズの変化に起因するピニオンからピニオンへの負荷変動を低減する効果を有する。
【０１０２】
また、遊星キャリアを排除する結果として、例えば、遊星は中空であり、したがって、径方向に可撓性であり得る。
【０１０３】
［２段式ギヤボックス］
上述のギヤボックスは、図２３〜２５に示されるように、２段式ギヤボックスで作製することができる。図２３は、例示的な２段式ギヤボックス１６０の等角切取り図である。図２３に示すように、外側ハウジング１６２は、両方の段において共通の外側固定ギヤとして作用する。入力リング１６４は、第１の段の外側ギヤ１６８と噛み合う外面１６６を有する。第１の段の内側ギヤ１７０は第１の段内側リング１７２と噛み合い、外側ハウジング１６２に対して内側リング１７２を駆動する。この第１の段の内側リングは、第２の段の外側ギヤ１７８と噛み合う外面１７６を有する第２の段の入力ギヤ１７４に接続され、且つそれと共に１つの部品に形成されてもよい。第２の段の内側ギヤ１８０は、内側出力ギヤ１８２と噛み合うことにより、内側出力ギヤ１８２を外側ハウジング１６２に対して駆動し、差動運動は、２段式ギヤボックスの出力を提供する。
【０１０４】
図２４は、図２３に示す２段式ギヤボックスを使用するアクチュエータを示す。図２３に示すコンポーネントに加えて、図２４は、入力リング１６４に接続されたフランジ１８４及び外側ハウジング１６２に接続された内側ハウジングコンポーネント１６３を示す。図示されていない電動モータロータ及びステータは、フランジ１８４及び内側ハウジング１６３に接続されて、フランジ１８４を内側ハウジングコンポーネント１６３に対して駆動して、２段式ギヤボックスを駆動することができる。また、図２４には、内側出力ギヤ１８２に接続された出力キャップ１８６、及び外側ハウジング１６２に接続された固定外側キャップ１８８が示される。図２５は、図２４の実施形態の詳細な断面図を示す。
【０１０５】
第１の段の外側リングギヤが、第２の段の他の外側リングギヤと同じピッチ直径及び同じ歯数であり、且つそれと１つの部品である場合、第１の段からの内側リングギヤが第２の段の入力ギヤに接続され、第２の段の内側リングギヤが第２の段の出力となる。
【０１０６】
内側リングギヤが両方の段によって共有される場合、第１の段の外側リングギヤが第２の段の入力ギヤに連結され、第２の段の外側リングギヤは、装置の出力となる。このようにして、２つ以上の段を接続することができる。
【０１０７】
［先細の実施形態］
片面自己増力ギヤボックスの別の例示的な実施形態は、図２６〜２９に示す先細設計である。この設計では、より基本的な片面ギヤボックス設計の円筒形ギヤ歯は、先細ギヤで置き換えられ、ギヤ接触は先に述べたものと同じままであるが先細になっている。
【０１０８】
ギヤを先細にすることにより、遊星は軸方向に拘束され、図２６に示す位置でシムを調整することによって、バックラッシュを低減又は除去することができる。ギヤボックスは、そうでない場合、非先細バージョンと同じように機能する。
【０１０９】
先細ギヤプロフィールは、現在、ホビング又はスカイビングなどの従来のギヤ製造方法によって製造するのが困難である。したがって、射出成形、表面ミリング、粉末冶金、又はギヤ転造などが挙げられるが、これらに限定されない別の方法が使用される可能性がある。また、これらの先細の製造制限により、部品数の潜在的な増加もある。
【０１１０】
先細又は非先細の歯プロフィールのいずれかは、直線状、又はヘリカルギヤ又はローブを使用することができる。製造方法により、あるいは強度又はノイズを最適化するために、先細ギヤ上でねじれ角を使用することが有益であり得る。
【０１１１】
図２６は、先細ヘリカル自己増力ギヤボックスの概略断面図を示し、製造及び組み立ての考慮によりギヤコンポーネントが分割される方法を示し、シムが挿入され得る。通常、内側ギヤと外側ギヤとが同じ周方向位置で内側レース及び外側レースと噛み合うことはないため、これは真の断面図ではないことに留意されたい。この実施形態における外側レース２００は、内側ギヤ２０８に対応する軸方向位置で外側ギヤ２０６と接触する第１のコンポーネント２０２と、入力ギヤ２１０に対応する軸方向位置において外側ギヤ２０６と接触する第２のコンポーネント２０４とに分割される。内側レース２１２はまた、コンポーネント２１４及び２１６に分割されて示されている。外側シム２１８は、外側レース２００のコンポーネント２０２と２０４との間に示され、内側シム２２０は、内側レースのコンポーネント２１４と２１６との間に示される。
【０１１２】
より長い（外側）ギヤはまた、射出成形が製造方法として選択される場合、射出成形を使用して製造を容易にするために、それらのネック部２２２において、スプリットを有してもよい。
【０１１３】
図２７は、図２６に概略的に示されるギヤボックスの等角分解図を示し、追加の変更があり、外側レースの第１のコンポーネント２０２が、ここでは２つの更なるコンポーネント２０２Ａ及び２０２Ｂに分割されて示されている。
【０１１４】
図２８は図２７のギヤボックスの側面切取り図であり、外側ローラが除去されている。図２９は、図２７のギヤボックスの等角図である。
【０１１５】
先細ギヤは、直線状又は螺旋状で使用されてもよく、ヘリングボーン、ギヤを含む。先細は、いくつかの軸方向位置を提供することに加えて、シムによるバックラッシュ調整を可能にする。ヘリングボーン歯は、ピニオン及びリングギヤのより正確な正軸方向位置決めを可能にする。一緒に使用すると、全ての利点が実現されるが、一部の用途は、１つ又は他の用途から利益を得る。
【０１１６】
例えば、図２１に示されるように、歯を係合させ、したがってギヤ軸のねじれを排除する自己増力効果により、ヘリングボーン又は先細歯なしで、片面（非対称）入力が可能である。
【０１１７】
「特許請求の範囲」では、用語「含む、備える（comprising）」は、その包含的意味で使用されており、他の要素の存在を除外するものではない。請求特徴の前の不定冠詞「ａ」及び「ａｎ」は、複数の特徴の存在を除外するものではない。本明細書に記載されている個々の特徴のそれぞれは、１つ以上の実施形態で使用されてもよく、本明細書に記載されているという理由だけで、「特許請求の範囲」に定義される全ての実施形態に必須であると解釈されるべきではない。
【図１】
2021500518.tif 000006
【図２】
2021500518.tif 000007
【図３】
2021500518.tif 000008
【図４】
2021500518.tif 000009
【図５】
2021500518.tif 000010
【図６】
2021500518.tif 000011
【図７】
2021500518.tif 000012
【図８】
2021500518.tif 000013
【図９】
2021500518.tif 000014
【図１０】
2021500518.tif 000015
【図１１】
2021500518.tif 000016
【図１２】
2021500518.tif 000017
【図１３】
2021500518.tif 000018
【図１４】
2021500518.tif 000019
【図１５】
2021500518.tif 000020
【図１６】
2021500518.tif 000021
【図１７】
2021500518.tif 000022
【図１８】
2021500518.tif 000023
【図１９】
2021500518.tif 000024
【図２０】
2021500518.tif 000025
【図２１】
2021500518.tif 000026
【図２２Ａ】
2021500518.tif 000027
【図２２Ｂ】
2021500518.tif 000028
【図２２Ｃ】
2021500518.tif 000029
【図２３】
2021500518.tif 000030
【図２４】
2021500518.tif 000031
【図２５】
2021500518.tif 000032
【図２６】
2021500518.tif 000033
【図２７】
2021500518.tif 000034
【図２８】
2021500518.tif 000035
【図２９】
2021500518.tif 000036
【国際調査報告】
2021500518.tif 000037
2021500518.tif 000038